(57)【要約】【課題】ライン圧フィードバック制御中においてアクセルペダルがゆっくり踏み込まれたとき、燃費の悪化を防止しながらプライマリ圧が不足しないようにライン圧を上昇させる。【解決手段】本発明は、ステップモータの駆動量に応じて変速比を調整するベルト式無段変速機において、ライン圧をできるだけ低下させるためにフィードバック制御しているときに、変速速度が所定値より大きくなったとき、ライン圧の指示値とセカンダリプーリへの供給圧であるセカンダリ圧の指示値との差が目標変速比によって決定される所定の関係を保持するように、セカンダリ圧の変化に追従してライン圧の指示値を増加補正する（Ｓ１、Ｓ５、Ｓ６）。【選択図】図４
2008075800.tif 000002
【特許請求の範囲】
【請求項１】
プライマリプーリとセカンダリプーリとにベルトを掛け回し、目標変速比に対応した位置に変速アクチュエータを駆動して、ライン圧を元圧とする前記プライマリプーリへの供給圧を制御することで、前記プライマリプーリの可動シーブが変位して変速比が調整されるベルト式無段変速機のライン圧制御装置において、
実変速比を検出する実変速比検出手段と、
実変速比と目標変速比との偏差に基づいてライン圧をフィードバック制御するライン圧フィードバック制御手段と、
ライン圧をフィードバック制御中に変速速度が所定値より大きくなったとき、ライン圧の指示値と前記セカンダリプーリへの供給圧であるセカンダリ圧の指示値との差が、目標変速比によって決定される所定の関係を保持するように、セカンダリ圧の変化に追従してライン圧の指示値を増加補正するライン圧補正手段と、
を備えることを特徴とするベルト式無段変速機のライン圧制御装置。
【請求項２】
前記所定の関係は、目標変速比が大きいほどライン圧の指示値とセカンダリ圧の指示値との差が大きくなる関係であることを特徴とする請求項1に記載のベルト式無段変速機のライン圧制御装置。
【発明の詳細な説明】
【技術分野】
【０００１】
本発明はベルト式無段変速機のライン圧制御装置に関する。
【背景技術】
【０００２】
ベルト式無段変速機において、燃費向上のためできるだけライン圧を低下させたいが、ライン圧がプライマリ圧やセカンダリ圧を下回ると、プライマリ圧やセカンダリ圧も低下して変速比が変化する。
【０００３】
そこで、ステップモータの指示値（目標変速比）と実変速比との偏差に基づいて実ライン圧が目標ライン圧となるようにフィードバック制御することで、ライン圧を低下させながらプライマリ圧やセカンダリ圧より高く保持する技術が特許文献１に記載されている。
【特許文献１】特開２００４−１００７３７公報
【発明の開示】
【発明が解決しようとする課題】
【０００４】
変速比が比較的Ｈｉｇｈ側の状態で走行中に、ゆっくりアクセルペダルが踏み込まれた場合には、プライマリ圧はセカンダリ圧の上昇に応じて上昇する。しかし、ライン圧がプライマリ圧付近まで低下していることによりライン圧の上昇が遅れ、必要なプライマリ圧を確保することができずに変速不良が発生することがある。
【０００５】
そこで、変速速度に応じてライン圧を増加補正することでライン圧を急激に上昇させてプライマリ圧を確保することが考えられる。
【０００６】
しかし、変速速度に応じてライン圧を増加補正すると、ライン圧を必要以上に上昇させることになるのでその分燃費性能が悪化する。
【０００７】
本発明は、ライン圧フィードバック制御中においてアクセルペダルがゆっくり踏み込まれたとき、燃費の悪化を防止しながらプライマリ圧が不足しないようにライン圧を上昇させることを目的とする。
【課題を解決するための手段】
【０００８】
本発明は、プライマリプーリとセカンダリプーリとにベルトを掛け回し、目標変速比に対応した位置に変速アクチュエータを駆動してライン圧を元圧とするプライマリプーリへの供給圧を制御することでプライマリプーリの可動シーブが変位して変速比が調整されるベルト式無段変速機のライン圧制御装置において、実変速比を検出する実変速比検出手段と、実変速比と目標変速比との偏差に基づいてライン圧をフィードバック制御するライン圧フィードバック制御手段と、ライン圧をフィードバック制御中に変速速度が所定値より大きくなったとき、ライン圧の指示値とセカンダリプーリへの供給圧であるセカンダリ圧の指示値との差が目標変速比によって決定される所定の関係を保持するように、セカンダリ圧の変化に追従してライン圧の指示値を増加補正するライン圧補正手段とを備える。
【発明の効果】
【０００９】
本発明によれば、ライン圧フィードバック制御中に変速速度が所定値より大きくなったとき、ライン圧の指示値とセカンダリプーリへの供給圧であるセカンダリ圧の指示値との差が目標変速比によって決定される所定の関係を保持するようにライン圧の指示値を増加補正するので、アクセルペダルがゆっくり踏み込まれたときのセカンダリ圧の上昇に追従してライン圧を上昇させることができ、また過剰なライン圧の上昇を防止できるので、燃費性能の悪化を防止しながらプライマリ圧の不足を防止することができる。
【発明を実施するための最良の形態】
【００１０】
以下では図面等を参照して本発明の実施の形態について詳しく説明する。図１は本実施形態におけるベルト式無段変速機のライン圧制御装置を示す概略構成図である。ベルト式無段変速機１０は、プライマリプーリ１１と、セカンダリプーリ１２と、Ｖベルト１３と、ＣＶＴコントロールユニット２０（以下「ＣＶＴＣＵ」という）と、油圧コントロールユニット３０とを備え、ライン圧を元圧として変速動作を行う。
【００１１】
プライマリプーリ１１は、このベルト式無段変速機１０にエンジン１の回転を入力する入力軸側のプーリである。プライマリプーリ１１は、入力軸１１ｄと一体となって回転する固定円錐板１１ｂと、この固定円錐板１１ｂに対向配置されてＶ字状のプーリ溝を形成するとともに、プライマリプーリシリンダ室１１ｃへ作用する油圧によって軸方向へ変位可能な可動円錐板１１ａ（可動シーブ）とを備える。プライマリプーリ１１は、前後進切り替え機構３、ロックアップクラッチを備えたトルクコンバータ２を介してエンジン１に連結され、そのエンジン１の回転を入力する。プライマリプーリ１１の回転速度は、プライマリプーリ回転速度センサ２６によって検出される。
【００１２】
Ｖベルト１３は、プライマリプーリ１１及びセカンダリプーリ１２に巻き掛けられ、プライマリプーリ１１の回転をセカンダリプーリ１２に伝達する。
【００１３】
セカンダリプーリ１２は、Ｖベルト１３によって伝達された回転をディファレンシャル４に出力する。セカンダリプーリ１２は、出力軸１２ｄと一体となって回転する固定円錐板１２ｂと、この固定円錐板１２ｂに対向配置されてＶ字状のプーリ溝を形成するとともに、セカンダリプーリシリンダ室１２ｃへ作用する油圧に応じて軸方向へ変位可能な可動円錐板１２ａとを備える。なお、セカンダリプーリシリンダ室１２ｃの受圧面積は、プライマリプーリシリンダ室１１ｃの受圧面積と略等しく設定されている。
【００１４】
セカンダリプーリ１２は、アイドラギア１４及びアイドラシャフトを介してディファレンシャル４を連結しており、このディファレンシャル４に回転を出力する。セカンダリプーリ１２の回転速度は、セカンダリプーリ回転速度センサ２７によって検出される。なお、このセカンダリプーリ１２の回転速度から車速を算出することができる。
【００１５】
ＣＶＴＣＵ２０は、インヒビタスイッチ２３、アクセルペダルストローク量センサ２４、油温センサ２５、プライマリプーリ回転速度センサ２６、セカンダリプーリ回転速度センサ２７等からの信号や、エンジンコントロールユニット２１からの入力トルク情報に基づいて、変速比や接触摩擦力を決定し、油圧コントロールユニット３０に指令を送信して、ベルト式無段変速機１０を制御する。
【００１６】
油圧コントロールユニット３０は、ＣＶＴＣＵ２０からの指令に基づいて応動する。油圧コントロールユニット３０は、プライマリプーリ１１及びセカンダリプーリ１２に対して油圧を供給し、可動円錐板１１ａ及び可動円錐板１２ａを回転軸方向に往復移動させる。
【００１７】
可動円錐板１１ａ及び可動円錐板１２ａが移動するとプーリ溝幅が変化する。すると、Ｖベルト１３が、プライマリプーリ１１及びセカンダリプーリ１２上で移動する。これによって、Ｖベルト１３のプライマリプーリ１１及びセカンダリプーリ１２に対する接触半径が変わり、変速比及びＶベルト１３の接触摩擦力がコントロールされる。
【００１８】
エンジン１の回転が、トルクコンバータ２、前後進切り替え機構３を介してベルト式無段変速機１０へ入力され、プライマリプーリ１１からＶベルト１３、セカンダリプーリ１２を介してディファレンシャル４へ伝達される。
【００１９】
アクセルペダルが踏み込まれたり、マニュアルモードでシフトチェンジされると、プライマリプーリ１１の可動円錐板１１ａ及びセカンダリプーリ１２の可動円錐板１２ａを軸方向へ変位させて、Ｖベルト１３との接触半径を変更することにより、変速比を連続的に変化させる。
【００２０】
図２は油圧コントロールユニット及びＣＶＴＣＵの概念図である。
【００２１】
油圧コントロールユニット３０は、レギュレータバルブ３１と、変速制御弁３２と、減圧弁３３とを備え、油圧ポンプ３４から供給される油圧を制御してプライマリプーリ１１及びセカンダリプーリ１２に供給する。
【００２２】
レギュレータバルブ３１は、ソレノイドを有し、油圧ポンプ３４から圧送された油の圧力を、ＣＶＴＣＵ２０からの指令（例えば、デューティ信号など）に応じて運転状態に応じて所定のライン圧に調圧する調圧弁である。
【００２３】
変速制御弁３２は、プライマリプーリシリンダ室１１ｃの油圧（以下「プライマリ圧」という）を所望の目標圧となるよう制御する制御弁である。変速制御弁３２は、メカニカルフィードバック機構を構成するサーボリンク５０に連結され、サーボリンク５０の一端に連結されたステップモータ４０によって駆動されるとともに、サーボリンク５０の他端に連結したプライマリプーリ１１の可動円錐板１１ａから溝幅、つまり実変速比のフィードバックを受ける。変速制御弁３２は、スプール３２ａの変位によってプライマリプーリシリンダ室１１ｃへの油圧の吸排を行って、ステップモータ４０の駆動位置で指令された目標変速比となるようにプライマリ圧を調整し、実際に変速が終了するとサーボリンク５０からの変位を受けてスプール３２ａを閉弁位置に保持する。
【００２４】
減圧弁３３は、ソレノイドを備え、セカンダリプーリシリンダ室１２ｃへの供給圧（以下「セカンダリ圧」という）を所望の目標圧に制御する制御弁である。
【００２５】
油圧ポンプ３４から供給され、レギュレータバルブ３１によって調圧されたライン圧は、変速制御弁３２と、減圧弁３３にそれぞれ供給される。
【００２６】
プライマリプーリ１１及びセカンダリプーリ１２の変速比は、ＣＶＴＣＵ２０からの変速指令信号に応じて駆動されるステップモータ４０によって制御され、ステップモータ４０に応動するサーボリンク５０の変位に応じて変速制御弁３２のスプール３２ａが駆動され、変速制御弁３２に供給されたライン圧が調整されてプライマリ圧をプライマリプーリ１１へ供給し、溝幅が可変制御されて所定の変速比に設定される。
【００２７】
ＣＶＴＣＵ２０は、インヒビタスイッチ２３からのレンジ信号、アクセルペダルストローク量センサ２４からのアクセルペダルストローク量、油温センサ２５からのベルト式無段変速機１０の油温や、プライマリプーリ速度センサ２６、セカンダリプーリ速度センサ２７、油圧センサ２９からの信号等を読み込んで変速比やＶベルト１３の接触摩擦力を可変制御する。なお、油圧センサ２９は、セカンダリプーリのシリンダ室１２ｃにかかるセカンダリ圧を検出するセンサである。
【００２８】
ＣＶＴＣＵ２０は、車速やスロットル開度等に応じて目標の変速比を決定し、ステップモータ４０を駆動して現在の変速比を目標の変速比へ向けて制御する。さらに、入力トルク情報、変速比、油温に基づいてプライマリプーリ及びセカンダリプーリに供給する油圧のうち、いずれか大きい方の圧力以上となるようにライン圧の目標値を演算し、レギュレータバルブ３１のソレノイドを駆動することでライン圧を目標値に一致させるようにフィードバック制御し、また、セカンダリ圧の目標値を決定して、油圧センサ２９の検出値と目標値とに応じて減圧弁３３のソレノイドを駆動して、フィードバック制御によりセカンダリ圧を制御する。
【００２９】
また、プライマリ圧及びセカンダリ圧の元圧となるライン圧は、できるだけ低く保持することで油圧ポンプの負荷が低減され燃費が向上する。そのため、車両が定常運転状態においてはライン圧を徐々に低下させながらライン圧がプライマリ圧及びセカンダリ圧を下回らないように、実変速比と目標変速比との偏差に基づいてライン圧をフィードバック制御している（ライン圧フィードバック制御手段）。
【００３０】
ライン圧フィードバック制御は、実変速比と目標変速比との偏差に基づいて演算されるライン圧補正量に応じてライン圧を制御しており、ライン圧補正量が大きいほどライン圧が高くなる。なお、ライン圧フィードバック制御は従来から行われているものであり、詳細な説明については省略する。
【００３１】
ここで、ライン圧補正量は図３のブロック図に示すように演算される。すなわち、目標変速比に対応するステップモータ４０の指示値と実変速比との偏差を演算し、この偏差から偏差の補正量を減算する。このようにして得られた値をＰＩ制御器１００に入力し、ＰＩ制御器１００の出力値に上限リミッタ及び下限リミッタをかけてライン圧補正量が演算される。なお、偏差の補正量は、ステップモータ４０の取り付けばらつきやトルクに依存するステップのずれを考慮して決定される。
【００３２】
以下、ＣＶＴＣＵ２０で行う制御について図４のフローチャートを参照しながら説明する。なお、これらの制御は微少時間（例えば１０ｍｓ）ごとに繰り返し行われる。
【００３３】
ステップＳ１では、ライン圧フィードバック制御中であるか否かを判定する。ライン圧フィードバック制御中であればステップＳ２へ進み、ライン圧フィードバック制御中でなければ処理を終了する。なお、ライン圧フィードバック制御が、Ｄレンジであり、非アイドル時であり、変速速度が所定の範囲内であるという条件を満たしたとき実施されるように設定されている場合には、以下のステップＳ２〜Ｓ４を全て満たすときライン圧フィードバック制御中であることが判断されるので、本ステップは省略してもよい。
【００３４】
ステップＳ２では、シフト位置がＤレンジか否かを判定する。ＤレンジであればステップＳ３へ進み、Ｄレンジ以外であれば処理を終了する。
【００３５】
ステップＳ３では、非アイドル時であるか否かを判定する。非アイドル時であればステップＳ４へ進み、アイドル時であれば処理を終了する。非アイドル時であることはアクセルペダル２４が踏み込まれていることによって判定する。
【００３６】
ステップＳ４では、変速速度が所定値より大きいか否かを判定する。変速速度が所定値より大きければステップＳ５へ進み、所定値以下であれば処理を終了する。所定値は、アクセルペダル２４がゆっくり踏み込まれたことを判断できる程度の値であり、予め実験などによって求めておく。
【００３７】
ステップＳ５では、ライン圧補正量がゼロより小さいか否かを判定する。ライン圧補正量がゼロより小さければステップＳ６へ進み、ゼロ以上であれば処理を終了する。ライン圧補正量がゼロより小さいときは、ライン圧をプライマリ圧付近まで低下させているときである。
【００３８】
以上のステップＳ２〜Ｓ５の条件を満足することでアクセルペダル２４がゆっくり踏み込まれた状態であることが判断できる。
【００３９】
ステップＳ６（ライン圧補正手段）では、ライン圧補正量を上昇制御する。ライン圧補正量の上昇制御は以下のように行われる。まず初めに変速速度が所定値を超える前の状態におけるライン圧指示値とセカンダリ圧指示値との差を記憶する。ここで、この差をαとする。
【００４０】
次にセカンダリ圧の上昇に追従してライン圧を上昇させるが、このときのライン圧指示値を以下の式に示すように設定する。
【００４１】
（ライン圧指示値）＝Ｋα＋（セカンダリ圧指示値）
ここで、Ｋはゲインであり、目標変速比が大きいほど大きく設定される。
【００４２】
すなわち、ライン圧指示値とセカンダリ圧指示値との差が、前述の差αに所定のゲインＫを掛けた値となるようにライン圧指示値を上昇させる。ライン圧指示値の上昇は、このライン圧指示値を実現するようにライン圧補正量を所定の上昇率で上昇させることで行われる。
【００４３】
ここで、上述のステップモータを用いた無段変速機では、ライン圧フィードバック制御は変速比が所定値以下（Ｈｉｇｈ側）の領域で行われる。Ｌｏｗ側の領域ではプライマリ圧よりセカンダリ圧が高いので、ライン圧フィードバック制御によってライン圧が低下するとセカンダリ圧が不足してベルトスリップを生じるおそれがあるからである。したがって、本実施形態における制御は、変速比がＨｉｇｈ側にある場合の定常走行時、例えば車速が８０ｋｍ／ｈ以上の定速走行時に実施することが好ましい。特にこの場合は、少しだけ加速したいケースが多くアクセルペダルをゆっくり踏み込むことが多いので、本実施形態における制御が特に有効である。
【００４４】
次に図５を用いて本実施形態の作用について説明する。定常状態で走行中、アクセルペダル２４が緩やかに踏み込まれると変速速度が上昇する。
【００４５】
時刻ｔ１において変速速度が所定値を超えると、定常状態のときのライン圧指示値とセカンダリ圧指示値との差αが記憶され、ライン圧補正量が所定の上昇率で上昇する。セカンダリ圧指示値の上昇に伴ってライン圧指示値も上昇するが、このときライン圧指示値とセカンダリ圧指示値との差が、前述の記憶した差αに所定のゲインＫを掛けた値Ｋαとなるようにライン圧指示値が上昇する。
【００４６】
これにより、ライン圧はプライマリ圧付近であってプライマリ圧より高い圧力を保持することができ、プライマリ圧がセカンダリ圧に追従して必要なプライマリ圧を確保することができる。
【００４７】
以上のように本実施形態では、ライン圧フィードバック制御中にアクセルペダル２４がゆっくりと踏み込まれたとき、ライン圧の指示値とセカンダリプーリ１２への供給圧であるセカンダリ圧の指示値との差が目標変速比によって決定される所定の関係を保持するようにライン圧補正量を上昇させてライン圧の指示値を上昇させるので、アクセルペダル２４がゆっくり踏み込まれたときのセカンダリ圧の上昇に追従してライン圧を上昇させることができ、また過剰なライン圧の上昇を防止できるので、燃費性能の悪化を防止しながらプライマリ圧の不足を防止することができる。（請求項１に対応）
【００４８】
また、ゲインＫは一定ではなく目標変速比が大きいほど大きく設定されるので、セカンダリ圧の変化にかかわらず確実にプライマリ圧を確保できるようにライン圧指示値を設定することができる。（請求項２に対応）
【００４９】
以上説明した実施形態に限定されることなく、その技術的思想の範囲内において種々の変形や変更が可能である。
【図面の簡単な説明】
【００５０】
【図１】本実施形態におけるベルト式無段変速機のライン圧制御装置を示す概略構成図である。
【図２】油圧コントロールユニット及びＣＶＴＣＵの概念図である。
【図３】ライン圧補正量を演算する方法を示すブロック図である。
【図４】本実施形態におけるベルト式無段変速機のライン圧制御装置の制御を示すフローチャートである。
【図５】本実施形態におけるベルト式無段変速機のライン圧制御装置の作用を示すタイムチャートである。
【符号の説明】
【００５１】
１  エンジン
１０  ベルト式無段変速機
１１  プライマリプーリ
１１ａ  可動円錐板（可動シーブ）
１２  セカンダリプーリ
１２ａ  可動円錐板
１３  Ｖベルト
２０  ＣＶＴコントロールユニット
３０  油圧コントロールユニット
３４  油圧ポンプ
４０  ステップモータ（変速アクチュエータ）
５０  サーボリンク
【図１】
2008075800.tif 000003
【図２】
2008075800.tif 000004
【図３】
2008075800.tif 000005
【図４】
2008075800.tif 000006
【図５】
2008075800.tif 000007